(57)【特許請求の範囲】
【請求項１】
外チューブと、
上記外チューブ内に進退自在に挿通された内チューブと、
上記内外チューブの進退操作を行なう操作部と、
上記内チューブの先端に取り付けられた針体と、
上記針体の外径と上記内チューブの内径の差により生じるクリアランスを埋めて上記内チューブと上記針体とを接続する部材と、
を具備し、
上記針体は、上記部材の基端面を超えて上記内チューブ内に該内チューブの基端側へ延出した部分を有し、上記部材の外周から上記部材の基端を覆う位置まで接着剤を塗布し、上記内チューブ内で上記部材及び上記針体を上記内チューブに接着することにより上記内チューブと上記針体とを接続するようにしたことを特徴とする内視鏡用注射針。
【発明の詳細な説明】
【０００１】
【発明の属する技術分野】
本発明は、内視鏡のチャンネルを通じて体腔内に導入し、体腔内の組織部位に薬剤を注射する内視鏡用注射針に関する。
【０００２】
【従来の技術】
内視鏡のチャンネルを通じて体腔内に注射針を導入し、体腔内の患部等に薬液を注射することが行われている。この場合に使用する注射針が、実開平６−８１５４４号公報において知られる。この注射針は外シースと内シースを有し、外シースに対して進退自在な内シースの先端には針が取り付けられている。そして、使用する場合には内視鏡のチャンネルを通じて体腔内に導入した後、内シースを押し込むことにより外シースの先端から針を突き出して体腔内の組織部位に穿刺する。
【０００３】
【発明が解決しようとする課題】
この種の内視鏡用注射針は、針の外径が、０．５〜０．８ｍｍのものが主に使われているが、ユーザの使用条件などによって、種々の針径のものが求められる。
【０００４】
従来の内視鏡用注射針では、針の外周に内チューブの先端部を被嵌して取着するため、内チューブの内径を針の外径とほぼ同一としている。このため、針径が変ると、内チューブの内径を変える必要がある。つまり、針径毎に適合した寸法の内チューブを用意しなければならないという事情がある。
【０００５】
また、針を取り付ける内チューブは、針を進退操作させるだけでなく、薬液を針まで供給する管路としての働きがあるため、勝手に内径を小さくすることができない。また、送液操作を軽い力で行うことを確保するために内チューブの内径を極力大きくしておくことが必要である。
【０００６】
しかし、前述の通り、針の外径と同一の内径となるように内チューブを作ると、小径の針の場合は、必然的に内チューブの内径が小さくなり、送液力量が大きく送液操作が重くなってしまう。これを解消するために、内径の大きい内チューブを使用し、内チューブの先端のみを小径なものとすることも可能ではあるが、内チューブの先端のみを小径なものとするためには、熱をかけながら整形を行う熱成形処理等、面倒な作業が必要であり、しかも、かなりの時間がかかり、逆に値段の高い器具となってしまう。
【０００７】
本発明は上記事情に着目してなされたもので、その目的とするところは、上記問題点を解消し、安価な内視鏡用注射針を提供することにある。
【０００８】
【課題を解決するための手段】
上記問題点を解消するために、本発明は、外チューブと、上記外チューブ内に進退自在に挿通された内チューブと、上記内外チューブの進退操作を行なう操作部と、上記内チューブの先端に取り付けられた針体と、上記針体の外径と上記内チューブの内径の差により生じるクリアランスを埋めて上記内チューブと上記針体とを接続する部材と、を具備し、上記針体は、上記部材の基端面を超えて上記内チューブ内に該内チューブの基端側へ延出した部分を有し、上記部材の外周から上記部材の基端を覆う位置まで接着剤を塗布し、上記内チューブ内で上記部材及び上記針体を上記内チューブに接着することにより上記内チューブと上記針体とを接続するようにしたことを特徴とする内視鏡用注射針である。
これにより、種々の針径の針体に内径が極力大きい内チューブを熱成形するなどの処理なしに作ることができて、内視鏡用注射針を安価に提供できるようになる。
【０００９】
【発明の実施の形態】
図面を参照して本発明の一実施形態について説明する。
（構成）
図１は本実施形態に係る内視鏡用注射針全体の外観図であり、図２はその内視鏡用注射針の先端部付近の縦断面図であり、図３はその内視鏡用注射針の基端部付近の縦断面図である。
【００１０】
内視鏡用注射針は、外チューブ１と、この外チューブ１内で進退自在な内チューブ２と、この内チューブ２の先端に取り付けられた針体３と、上記外チューブ１の基端に取り付けられた操作部４とを備えて構成されている。
【００１１】
上記外チューブ１はフッ素チューブやナイロンチューブの樹脂等で作られ、内径が約φ１．７ｍｍ、外径がφ２．４ｍｍである。内チューブ２は同じくフッ素チューブやナイロンチューブの樹脂等で作られ、内径が約φ０．８５ｍｍ、外径がφ１．５５ｍｍである。内チューブ２の先端に取り付けられた針体３の針先５は３０度の角度で斜めにカットされた尖った刃形に形成されている。
【００１２】
上記操作部４は、外チューブ１の基端に固定的に取り付けられている本体６と、内チューブ２の基端にステンレス製のパイプ７を介して取り付けられ、手元端に口金８を有したＡＢＳ製の口金ユニット９によって構成されている。本体６と口金ユニット９は進退自在であり、図１（ａ）で示すように、本体６に対して口金ユニット９を手元側へ引くと、上記針体３が外チューブ１内に収容される。また、図１（ｂ）で示すように、本体６に対して口金ユニット９を押し込むと、上記針体３が外チューブ１の先端開口１０より突き出す。
【００１３】
外チューブ１の先端はその半径方向の内側に向けて突出する縁部からなる係止用当接部１１が熱成形により外シース１と一体化した形で鍔状に形成されている。上記係止用当接部１１を鍔状に構成したことにより、その係止用当接部１１の中央に形成された、外チューブ１の先端開口１０は、外チューブ１の内径よりも小さくなっており、その先端開口１０は、針体３の外径に対して、０．０５ｍｍ〜０．３ｍｍ程度大きな径となっている。
【００１４】
また、針体３の外周には、大径部１２と小径部１３を持つ段付き円筒状の係止部材１４が、いわゆるカシメ（２〜４の複数の方向からの締め付けによるカシメ）により固定されている。
【００１５】
この場合、大径部１２の外径は外チューブ１の内径より小さく、かつ上記先端開口１０の径より大きな径となっており、操作部４による操作で、外チューブ１に対して内チューブ２を押し込み、外チューブ１の先端開口１０から針体３の先端部分を突き出すと、係止部材１４の先端面が外チューブ１の係止用当接部１１の内端面に突き当たり、それ以上に前進しないように規制する手段を構成する。
【００１６】
また、係止部材１４の小径部１３は内チューブ２の内径とほぼ等しい内径となっており、この小径部１３の外周に上記内チューブ２の先端部分を密に被嵌し、この被嵌接合部分が接着剤１５により固定されている。この場合、上記係止部材１４は針体３の外径（外周）と内チューブ２の内径（内周）のクリアランスを埋める部材であり、これを介して内チューブ２と針体３を接続する。
【００１７】
上記接着剤１５は、係止部材１４の基端面を超えて針体３の一部外周面も覆うように塗布され、内チューブ２と係止部材１４との接着接合と同時に、針体３と係止部材１４の間の水密も確保するようにしている。
【００１８】
図３で示すように、上記口金ユニット９の先端側部分には上記ステンレスパイプ７がインサート成形により固定されている。また、口金ユニット９の基端には側方に向いた２つの突起１６が形成されている。口金ユニット９の先端部分には図５に示す如く、上記本体６に形成した４本の溝１７と嵌め合い摺動する４本のリブ１８が設けられており、そのうちの２本のリブ１８の先端には図３で示す如くの２つの爪１９が配設されている。
【００１９】
さらに、爪１９の内側にはその爪１９が弾性的に狭められるように、切り欠き２０が設けられている。この爪１９の高さＬ１（図３参照）は本体６の対向する２本の溝１７の高さＬ２（図５参照）より大きく、上記切り欠き２０を利用し、爪１９を弾性変形させて本体６に押し込むことが可能である。
【００２０】
また、口金ユニット９を本体６に押し込むと、爪１９が、図３及び図４に示す、本体６の２つのスリット２２に合わさり、本体６と口金ユニット９のスライドガイドとして機能する。爪１９はスリット２２内にのみ位置するように規制される。このため、口金ユニット９が本体６から抜け落ちるのを防止する係止手段としても機能する。
【００２１】
口金ユニット９の２本のリブ１８には、爪１９の近傍に位置して、半球状の凸部分２３が設けられている。図３（ａ）で示す如く、本体６に対して口金ユニット９を手元側に引ききった状態では、上記凸部分２３が、本体６の内腔端係合部２４に軽い力で引っ掛るようになっている。前述した本体６は基端側に指掛け部分２５を持っている。
【００２２】
また、４本のリブ１８の基端には、そのリブ１８より高さの高い固定部２６が形成されており、本体６に対して口金ユニット９を最大に押し込むと、上記固定部２６が本体６の係合部２４と係合固定されるべく、固定部２６の高さより係合部２４の内径が若干小さく作られている。
【００２３】
（作用）
本体６に対して、口金ユニット９を引ききって、針体３を外チューブ１内に収容した状態とし（図１、図２及び図３の各図での（ａ）で示す状態）、予め体腔内に挿入した内視鏡の鉗子チャンネルに外チューブ１を挿入し、外チューブ１の先端部分を内視鏡先端から体腔内に突き出す。
【００２４】
次に、本体６に対して口金ユニット９を押し込み、本体６の係合部２４と口金ユニット９の固定部２６とを係合して固定し、針体３を外チューブ１の先端から突き出した状態（図１、図２及び図３の各図の（ｂ）で示す状態）で固定する。この突き出し状態で、内視鏡鉗子チャンネルの手元から出ている外チューブ１の手元部分を持って押し込み、目的組織に針体３を穿刺させ、口金８に予め取り付けておいたシリンジで薬剤等を送り込み、組織内に注入し、治療を行う。
【００２５】
（効果）
係止部材１４に内チューブ２の内径にほぼ等しい小径部１３を設けることにより、内径が最大に大きな内チューブ２を、針径が異なる製品間で共用することができることから、性能を落とさずに安価な製品の提供が可能である。
【００２６】
係止部材１４を針体３にカシメ固定することにより、機械による自動生産を可能とすることができ、接着等の手作業に頼らざるを得ない構造に比べてはるかに安価に製作が可能となる。
【００２７】
口金ユニット９に半球状の凸部分２３を設け、口金ユニット９を本体６に対して最大に引いた状態で本体６の係合部２４に固定するようにしたことにより、輸送中の振動等によって、不用意に針体３が突出した状態になってしまうことを防止できる。
【００２８】
針体３の針先５は一般的に１５゜程度の角度を斜めにカットされたものであるが、これを、３０゜程度（例えば、２５゜〜４０゜）の角度にしたことにより、針先端の開口部分の先端からの長さが短くなる。このため、組織に対して針を浅く刺した状態でも針先５からの液漏れがないという効果がある。
【００２９】
また、口金ユニット９の先端に切り欠き２０を設けたことにより、この切り欠き２０の弾性を利用し、口金ユニット９と本体６の組立を容易にできる。
【００３０】
口金ユニット９の材質を成形時収縮し易いポリプロピレン等にした場合、パイプ７をインサート成形してもそのパイプ外周と樹脂との間に隙間ができ、液漏れが発生する可能性がある。そのため、本実施形態の如く、成形時収縮しにくいＡＢＳ等を使用することにより、液漏れを防止できる。
【００３１】
口金ユニット９の基端に側方に向いた２つの突起１６を設けたことにより、シリンジを口金８にねじ込む時に、口金ユニット９を持ちやすく、シリンジを付けやすくできる。
【００３２】
本体６に指掛け部分２５を設けたことにより、針体３を突き出す際に、本体６を確実に保持できる。
【００３３】
上記作用の欄で記述したとおり、針体３を組織に穿刺するためには、外チューブ１を内視鏡チャンネルに押し込むことによって行われるが、内外チューブ１，２の合計の硬さがないと、上記押込みの力が針体３に伝わらず、穿刺性が悪くなってしまう。また、外チューブ１が硬くても、内チューブ２が柔らかくては、穿刺の際に内チューブ２が外チューブ１内に押し戻されてしまうため、内・外のチューブ１，２をバランス良く硬くすることが必要であり、上記実施形態に示した内外チューブ１，２の内外径寸法が好適な寸法である。
【００３４】
尚、本発明は前述した実施形態のものに限定されない。上記実施形態の説明によれば少なくとも以下に列記する事項及びその任意の組み合わせの事項のものが得られる。
【００３５】
＜付記＞
１．進退自在な内外チューブと、内チューブの先端に取り付けられた針体と、内外チューブの進退操作を行う操作部とからなる内視鏡用注射針において、針体の外径と内チューブの内径のクリアランスを埋める部材を介して、内チューブと針体を接続したことを特徴とする内視鏡用注射針。
【００３６】
２．第１項の外チューブの先端開口が外チューブの内腔より小さくなるように、外チューブの先端がすぼめられていることを特徴とする内視鏡用注射針。
【００３７】
３．第２項の外チューブの先端開口より大きい外径のストッパー手段を針体の外周に設けたことを特徴とする内視鏡用注射針。
【００３８】
４．第３項のストッパー手段は、円筒形状の部材であることを特徴とする内視鏡用注射針。
【００３９】
５．第４項の内視鏡用注射針において、上記クリアランスを埋める部材をストッパー手段と一体的に設けたことを特徴とする内視鏡用注射針。
【００４０】
６．第５項の内視鏡用注射針において、ストッパー手段の基端に内チューブの内径とほぼ同外径の小径部分を設けたことを特徴とする内視鏡用注射針。
【００４１】
７．第６項の内視鏡用注射針において、ストッパー手段と針体との接続は、ストッパー手段を外周からかしめることにより行うことを特徴とする内視鏡用注射針。
【００４２】
８．第７項の内視鏡用注射針において、ストッパー手段の小径部分と内チューブとの接続は接着剤によって行われ、この際の接着剤の塗布と同時に、ストッパー手段の基端と針体との間を埋めるようにも接着剤の塗布が行われていることを特徴とする内視鏡用注射針。
【００４３】
【発明の効果】
以上説明したように本発明によれば、針体の外径と内チューブの内径のクリアランスを埋める部材を介して、内チューブと針体を接続したことにより内径が最大に大きな内チューブを針径が異なる製品間で共用することができると共に簡単に接続することができることから、内チューブの送液性能を落とさずに安価な製品の提供が可能である。
【図面の簡単な説明】
【図１】本発明の一実施形態に係る内視鏡用注射針全体の外観図であり、（ａ）は外チューブ内に針を収納した状態でのものであり、（ｂ）は外チューブの先端から針を突き出した状態でのものである。
【図２】同じく上記実施形態に係る内視鏡用注射針の先端部付近の縦断面図であり、（ａ）は外チューブ内に針を収納した状態のものであり、（ｂ）は外チューブの先端から針を突き出した状態のものである。
【図３】同じく上記実施形態に係る内視鏡用注射針の基端部付近の縦断面図であり、（ａ）は外チューブ内に針を収納した状態のものであり、（ｂ）は外チューブの先端から針を突き出した状態のものである。
【図４】図１中のＡ−Ａ線に沿う部分の縦断面図。
【図５】図１中のＢ−Ｂ線に沿う部分の縦断面図。
【図６】上記内視鏡用注射針を基端側から見た図。
【符号の説明】
１…外チューブ、２…内チューブ、３…針体、４…操作部、５…針先、
９…口金ユニット、１０…先端開口、１１…係止用当接部、１２…大径部、
１３…小径部、１４…係止部材。
【図１】
0004493126.tif 000002
【図２】
0004493126.tif 000003
【図３】
0004493126.tif 000004
【図４】
0004493126.tif 000005
【図５】
0004493126.tif 000006
【図６】
0004493126.tif 000007